(57)【要約】【課題】取り扱いが容易な包装袋及びこの包装袋を使用した簡易包装装置を提供する。【解決手段】樹脂製のフイルムチューブ５を複重に折り繰りして当該フイルムチューブ５の径方向に複重の折り畳み部を備えた包装袋１であって、前記フイルムチューブ５の内側に偏平状に折り畳み自在かつ繰り返し使用可能な芯部材３を備え、前記端縁部は封止してあり、かつ前記芯部材は偏平状に折り畳んだときに折り畳んだ状態の長手方向が前記封止部の長手方向とほぼ等しいものである。装置は、前記フイルムチューブ５の内側に備えた芯部材３を支持するための包装袋支持部１５Ａ，１５Ｂを備えた支持台１３Ａ，１３Ｂと、この支持台１３Ａ，１３Ｂの下方位置において前記包装袋１を下方向へ引き込むための袋引き込み手段１７と、引き込まれた包装袋１を封止するための封止手段と、封止した後の包装袋を切断分離するための袋切断手段３７とを備えている。【選択図】図２
2007210643.tif 000002
【特許請求の範囲】
【請求項１】
樹脂製のフイルムチューブを複重に折り繰りして当該フイルムチューブの径方向に複重の折り畳み部を備えた包装袋であって、前記フイルムチューブの内側に偏平状に折り畳み自在な芯部材を備えていることを特徴とする包装袋。
【請求項２】
請求項１に記載の包装袋において、前記フイルムチューブにおける外側の端縁部は封止してあり、その封止部は直線状であり、かつ前記芯部材は偏平状に折り畳んだときに折り畳んだ状態の長手方向が前記封止部の長手方向とほぼ等しいことを特徴とする包装袋。
【請求項３】
樹脂製のフイルムチューブを複重に折り繰りして当該フイルムチューブの径方向に複重の折り畳み部を備え、かつ前記フイルムチューブの内側に偏平状に折り畳み自在な芯部材を備えた包装袋を支持するための包装袋支持部を備えた支持台と、この支持台の下方位置において前記包装袋を下方向へ引き込むための袋引き込み手段と、引き込まれた包装袋を封止するための封止手段と、封止した後の包装袋を切断分離するための袋切断手段とを備えていることを特徴とする包装装置。
【請求項４】
請求項３に記載の包装装置において、前記封止手段は上下に複数段備えており、かつ袋引き込み手段を兼ねていることを特徴とする包装装置。
【請求項５】
請求項３又は４に記載の包装装置においてにおいて、前記支持台は複数に分割してあり、かつ相対的に接近離反可能に設けてあることを特徴とする包装装置。
【発明の詳細な説明】
【技術分野】
【０００１】
本発明は、樹脂製のフイルムチューブの複重の折り畳み部を径方向に重ねて備えた包装袋及び当該包装袋を使用した包装装置に関する。
【背景技術】
【０００２】
従来、例えばおしぼりなどの内包材を包装するために、樹脂製のフイルムチューブを径方向に複重に積層した構成のものが使用されている（例えば特許文献１参照）。
【特許文献１】特公昭５６−２８７８８号公報
【発明の開示】
【発明が解決しようとする課題】
【０００３】
従来の構成は、フイルムチューブを所定の長さの位置で折り返すことを繰り返して、折り畳み部を径方向に単に重ねることにより包装袋を構成しているものである。したがって、適宜の包装装置にセットするときに崩れ易く扱いが難しいという問題がある。
【課題を解決するための手段】
【０００４】
本発明は、前述のごとき問題に鑑みてなされたもので、樹脂製のフイルムチューブを複重に折り繰りして当該フイルムチューブの径方向に複重の折り畳み部を備えた包装袋であって、前記フイルムチューブの内側に偏平状に折り畳み自在な芯部材を備えていることを特徴とするものである。
【０００５】
また、前記包装袋において、前記フイルムチューブにおける外側の端縁部は封止してあり、その封止部は直線状であり、かつ前記芯部材は偏平状に折り畳んだときに折り畳んだ状態の長手方向が前記封止部の長手方向とほぼ等しいことを特徴とするものである。
【０００６】
また、樹脂製のフイルムチューブを複重に折り繰りして当該フイルムチューブの径方向に複重の折り畳み部を備え、かつ前記フイルムチューブの内側に偏平状に折り畳み自在な芯部材を備えた包装袋を支持するための包装袋支持部を備えた支持台と、この支持台の下方位置において前記包装袋を下方向へ引き込むための袋引き込み手段と、引き込まれた包装袋を封止するための封止手段と、封止した後の包装袋を切断分離するための袋切断手段とを備えていることを特徴とするものである。
【０００７】
また、前記包装装置において、前記封止手段は上下に複数段備えかつ袋引込み手段を兼ねていることを特徴とするものである。
【０００８】
また、前記包装装置においてにおいて、前記支持台は複数に分割してあり、かつ相対的に接近離反可能に設けてあることを特徴とするものである。
【発明の効果】
【０００９】
本発明によれば、フイルムチューブの内側に偏平状に折り畳み自在な芯部材を備えた構成であるから、フイルムチューブを複重に折り畳んだ状態に保持し易く、また包装装置にフイルムチューブをセットするとき、セットし易いものである。
【発明を実施するための最良の形態】
【００１０】
図１を参照するに、本発明の実施形態に係る包装袋１は、偏平状に折り畳み自在な環状の芯部材３を備えている。上記芯部材３は、例えば厚紙あるいはプラスチックなど、複数回繰り返して使用した場合であっても容易に形崩れを生じ難い適宜の材質により構成してある。そして、前記芯部材３の外周面には、樹脂製のフイルムチューブ５が備えられている。上記フイルムチューブ５は、図１（Ｃ）に概念的に示すように、前記芯部材３の幅寸法とほぼ等しい寸法において折り返しを繰り返すことによって径方向に複重に折り畳まれた折り畳み部を備えている。
【００１１】
なお、前記フイルムチューブ５の内側は、前記芯部材３に固定してあることが望ましいものである。芯部材３にフイルムチューブ５を固定する構成としては、例えば芯部材３を二重構造としてフイルムチューブ５を内外の芯部材３の間に挟み込む構成や、芯部材３における一端縁の複数箇所にスリットを形成し、フイルムチューブ５の内端縁を隣接したスリットをジグザグに通過するように配置して、前記スリットにフイルムチューブ５の内端縁を挟み込む構成とすることもできる。さらには、粘着テープ、接着剤などを使用しフイルムチューブ５の一部を芯部材３に固定することも可能である。
【００１２】
すなわち、フイルムチューブ５の内側を芯部材３に固定する構成としては、種々の構成を採用することができるものである。
【００１３】
上記構成より理解されるように、フイルムチューブの径方向に複重の折り畳み部を備えた包装袋１の内側に、偏平状に折り畳み自在かつ繰り返し使用可能な芯部材３を備えた構成であるから、前記折り畳み部は前記芯部材３によって径方向（放射方向）に張られた状態にあり、折り畳んだ状態が崩れ難いものである。そして、偏平状に折り畳んだ状態においては、前記芯部材３は折り畳まれたときの長手方向（図１（Ｂ）において上下方向）に前記折り畳み部を張るものであるから、折り畳んだ状態においても折り畳んだ状態が崩れ難いものである。
【００１４】
すなわち、芯部材３は、フイルムチューブ５の複重の折り畳み部に常に突っ張るように作用して張りを与えているものであるから、複重に折り畳まれた状態が崩れ難いものであり、取り扱いが比較的容易なものである。そして、芯部材３は繰り返し使用可能であることにより、芯部材３を有効利用することができるものである。
【００１５】
ところで、前記フイルムチューブ５の端縁部は開いた状態のままでも、使用時に端縁部を封止することにより袋として使用可能である。したがって、フイルムチューブ５の外側の端縁部を、図１（Ｃ）に想像線で示すように予め封した場合、この封止部７は、前記芯部材３を偏平状に折り畳んだときの芯部材３の長手方向とほぼ等しい方向の直線状に形成することが望ましいものである。上記構成とすることにより、前記封止部７を含む端部側を少し長く引き出し、偏平状に折り畳んだ状態のフイルムチューブ５に巻き付けることができ、複重に折り畳まれた折り畳み部を包み込む（巻き込む）態様となり、例えば搬送時等に、折り畳み部を崩すことなく扱うことがより容易になるものである。そして、上記巻き付けを解除することにより直ちに使用可能であり、利便性が向上するものである。
【００１６】
図２は、前述した包装袋１を利用した包装装置９の構成を概念的，概略的に示すものである。上記包装装置９は、箱形状のフレーム１１を備えており、このフレーム１１の上部には、前記包装袋１を支持するための一対の支持台１３Ａ，１３Ｂが備えられている。上記支持台１３Ａ，１３Ｂには、前記包装袋１に備えた前記芯部材３の内面に当接（接触）自在な円弧状の包装袋支持部１５Ａ，１５Ｂ（図３参照）がそれぞれ対向して上方に突出するように備えられている。そして、前記支持台１３Ａ，１３Ｂは相対的に互いに接近離反自在に備えられている。
【００１７】
なお、前記包装袋支持部１５Ａ，１５Ｂは、各支持台１３Ａ，１３Ｂに対向して形成した半円弧状の開口部に沿って円弧状に形成した板状部材にて例示してある。しかし、前記包装袋支持部１５Ａ，１５Ｂの構成としては、前記芯部材３の内面に接触して支持し得る構成であれば良いものである。したがって、前記支持台１３Ａ，１３Ｂに形成した開口部の縁部に沿って複数本のピンを立設した構成とすることも可能である。
【００１８】
したがって、図３（Ａ）に示すように、前記支持台１３Ａ，１３Ｂが互いに接近した状態にあるとき、各支持台１３Ａ，１３Ｂに備えた前記包装袋支持部１５Ａ，１５Ｂの外周に、包装袋１に備えた前記芯部材３が位置するように嵌合しセットする。その後、図３（Ｂ）に示すように、支持台１３Ａ，１３Ｂが相対的に離反するように移動すると、前記包装袋支持部１５Ａ，１５Ｂが前記芯部材３の内面に接触（当接）して突っ張る態様となり、張りを与えて芯部材３すなわち包装袋１を支持するものである。
【００１９】
前記支持台１３Ａ，１３Ｂの下方位置には、支持台１３Ａ，１３Ｂに支持された状態にある包装袋１からフイルムチューブ５を下方向へ引き込むための袋引込み手段１７が備えられている。より詳細には、前記フレーム１１内には、前記フイルムチューブ５の下降領域の両側に、フイルムチューブ５を挟持自在な挟持手段１９が上下動可能に備えられている。すなわち、フレーム１１内の左右両側には前記下降領域を間にして対称位置にそれぞれプーリあるいはチエンスプロケットなどのごとき回転体２１Ａ，２１Ｂ，２１Ｃ，２３Ａ，２３Ｂ，２３Ｃ：２５Ａ，２５Ｂ，２５Ｃ，２７Ａ，２７Ｂ（図面には符号省略），２７Ｃが回転自在に備えられている。
【００２０】
そして、回転体２１Ａ，２１Ｂ，２１Ｃに掛回したベルト又はチエン等のごときエンドレス部材２９Ａと前記回転体２３Ａ，２３Ｂ，２３Ｃに掛回したエンドレス部材２９Ｂには、左右方向に長い上下一対の挟持部材３１Ａ，３３Ａの両端部が上下に適宜に離隔して一体的に支持されている。そして、前記回転体２５Ａ，２５Ｂ，２５Ｃに掛回したエンドレス部材３５Ａと前記回転体２７Ａ，２７Ｂ，２７Ｃに掛回したエンドレス部材３５Ｂには、前記挟持部材３１Ａ，３３Ａと対向してフイルムチューブ５を挟持するための挟持部材３１Ｂ，３３Ｂの左右両端部が一体的に支持されている。
【００２１】
前記各エンドレス部材２９Ａ，２９Ｂ，３５Ａ，３５Ｂは同期回転するものであり、かつ前記挟持部材３１Ａ，３３Ａ及び挟持部材３１Ｂ，３３Ｂは、互いに対向して前記フイルムチューブ５を前後から挟持した状態においては、挟持状態を維持して垂直に下降するものである。なお、前記各エンドレス部材２９Ａ，２９Ｂ，３５Ａ，３５Ｂが同期回転する構成は、それぞれ同期回転するモータによって回転する構成や、例えば回転体２１Ａと２５Ａとをエンドレスベルトを介して連動する構成など、種々の構成を採用することができるもので、各エンドレス部材２９Ａ，２９Ｂ，３５Ａ，３５Ｂを同期回転するための詳細な構成についての説明は省略する。
【００２２】
前後に対をなした各挟持部材３１Ａ，３１Ｂ：３３Ａ，３３Ｂは、前記フイルムチューブ５を前後から挟持して下降するときに、前記フイルムチューブ５を下方向に引き出す作用をなすと共に、フイルムチューブ５を融着する作用をなすものであって、前後に対をなす各挟持部材３１Ａ，３１Ｂ：３３Ａ，３３Ｂのうち少なくとも一方の挟持部材には、前記フイルムチューブ５を融着するためのヒータ（図示省略）が備えられている。したがって、フイルムチューブ５は、下方向へ引き出されるときに、上下２箇所が融着され封止されるものである。
【００２３】
そして、前記挟持部材３１Ａ，３１Ｂ：３３Ａ，３３Ｂによって前後方向から挟持され、上下２箇所の融着が行われると、その間においてフイルムチューブ５の切断分離を行うための切断手段３７が備えられている。上記切断手段３７は、前記フイルムチューブ５の切断を行うためのカッター３９を所定高さ位置に左右方向へ移動自在に備えた構成である。すなわち、詳細な図示は省略するが、前記フレーム１１内の所定高さ位置には左右方向のガイド部材（図示省略）が設けてあり、このガイド部材にスライダ（図示省略）が左右方向に移動自在に支持されている。そして、前記スライダには、当該スライダの往動時には前記フイルムチューブ５側へ突出し、復動時にはフイルムチューブ５から離反する方向へ移動する切断刃（図示省略）が備えられているものである。
【００２４】
なお、前記スライダの往動時に切断刃がフイルムチューブ５側へ突出し、復動時にフイルムチューブ５から切断刃が離反する方向へ移動する構成としては、例えばスライダに、例えば直動型のソレノイドを備えた構成や、スライダを左右方向に案内するガイド部材に沿って左右方向に長く往路と復路とを前後に離隔して形成した環状の溝又は環状のガイド部を備えたカム部材を備える。そして、前記スライダに、当該スライダの移動方向に対して直交する方向（前後方向）に移動自在に支持された前後スライダに前記切断刃を備えると共に前記環状の溝又はガイド部に係合して移動するカムフォロアを前記前後スライダに備えた構成とすることができる。すなわち、スライダの往動時に切断刃をフイルムチューブ５側へ突出し、前記スライダの往動時にフイルムチューブ５から離反する方向へ切断刃を移動する構成としては種々の構成を採用することができるものである。
【００２５】
なお、前記カッター３９によって前記フイルムチューブ５の切断を行うときは、前記挟持部材３１Ａ，３１Ｂ：３３Ａ，３３Ｂは下降を停止した状態にあり、かつ上下の挟持部材３１Ａ，３３Ａの間にカッター３９が対応するように位置決めされた状態にあるものである。前記カッター３９に対応しての前記挟持部材３１Ａ，３１Ｂ：３３Ａ，３３Ｂの位置決め停止は、例えば予め定めた位置にリミットスイッチ（図示省略）を備え、このリミットスイッチがドグ（図示省略）又は前記挟持部材３１Ａによって作動されたときに、挟持部材３１Ａ，３１Ｂ：３３Ａ，３３Ｂの移動を停止する、すなわちエンドレス部材の回転を停止する構成とすることができる。
【００２６】
また、前記挟持部材３１Ａ，３１Ｂに当接するストッパーを、挟持部材３１Ａ，３１Ｂの移動領域内に突出し、このストッパーに挟持部材３１Ａ，３１Ｂを当接して停止位置決めを行う構成とすることも可能である。すなわち、カッター３９に対応して挟持部材３１Ａ，３１Ｂ：３３Ａ，３３Ｂの停止位置決めを行う構成としては種々の構成を採用することができるものである。
【００２７】
以上のごとき構成において、前記包装装置９における支持台１３Ａ，１３Ｂに包装袋１をセットするには、図３（Ａ）に示すように、支持台１３Ａ，１３Ｂを互いに相対的に近接した状態に保持する。その後、包装袋１に備えた環状の芯部材３を、支持台１３Ａ，１３Ｂに備えた包装袋支持部１５Ａ，１５Ｂの外側（外周側）に嵌合する。そして、前記支持台１３Ａ，１３Ｂを相対的に離反する方向へ移動し、前記包装袋支持部１５Ａ，１５Ｂを前記芯部材３の内周面に当接して芯部材３を突っ張って張りを付与する。その後、フイルムチューブ５の封止部７を芯部材３内側に挿通し、フイルムチューブ５内に内包材４１を投入すると、上記内包材４１の重量によってフイルムチューブ５は下方向へ引っ張られ、フレーム１１の底部に備えた受け台（図示省略）に支持されることになる。
【００２８】
前記フイルムチューブ５内に所定量の内包材４１を収容した後、エンドレス部材２９Ａ，２９Ｂ：３５Ａ，３５Ｂを同期回転すると、挟持部材３１Ａ，３１Ｂ：３３Ａ，３３Ｂがフイルムチューブ５を前後方向から挟持する位置へ移動し、フイルムチューブ５を挟持して垂直に下降する。そして、挟持部材３１Ａ，３１Ｂ：３３Ａ，３３Ｂによってフイルムチューブ５の融着を行い、切断手段３７におけるカッター３９に対応した位置に達すると、前記エンドレス部材２９Ａ，２９Ｂ：３５Ａ，３５Ｂの回転を停止して挟持部材３１Ａ，３１Ｂ：３３Ａ，３３Ｂの位置決めが行われる。その後、上下の挟持部材３１Ａ，３１Ｂ：３３Ａ，３３Ｂの間において、前記カッター３９によってフイルムチューブ５の切断が行われる。
【００２９】
上述のようにカッター３９によってフイルムチューブ５の切断が行われると、前記エンドレス部材２９Ａ，２９Ｂ：３５Ａ，３５Ｂが再び同期回転され、前記挟持部材３１Ａ，３１Ｂ：３３Ａ，３３Ｂが最下降位置を通過すると、フイルムチューブ５の挟持が解放される。そして、内包材４１を封入したフイルムチューブ５はフレーム１１の外部へ取り出されると共に、前記挟持部材３１Ａ，３１Ｂ：３３Ａ，３３Ｂは互いに離反して待機状態に保持される。
【００３０】
ところで、前記包装装置９における支持台１３Ａ，１３Ｂ上に包装袋１をセットした後、フイルムチューブ５内に内包材４１を投入，収容する場合、前記内包材４１に対応して適宜の補助具を前記支持台１３Ａ，１３Ｂ上に設置して使用するものである。すなわち、例えば内面の下側が小さくなるように集束した錐形の内面を備えたホッパーを補助具としてセットして使用する。また、例えば簡易トイレとして使用する場合には、補助具としての便器を支持台１３Ａ，１３Ｂ上にセットして使用することができるものである。
【００３１】
以上のごとき説明より理解されるように、本実施形態によれば、包装袋１の取り扱いが容易であり、簡易の包装装置９に対するセットを容易に行い得るものである。そして、包装装置９は、フイルムチューブ５内に封入する内包材４１に対応して適宜の補助具を支持台１３Ａ，１３Ｂ上にセットすることにより、種々の特性，性状の内包材に対応した包装装置として使用することができるものである。
【図面の簡単な説明】
【００３２】
【図１】本発明の実施形態に係る包装袋の説明図である。
【図２】本発明の実施形態に係る包装装置の概念的，概略的な構成を示す説明図である。
【図３】包装袋と支持台との関係を示す説明図である。
【符号の説明】
【００３３】
１    包装袋
３    芯部材
５    フイルムチューブ
７    封止部
９    包装装置
１１    フレーム
１３Ａ，１３Ｂ    支持台
１５Ａ，１５Ｂ    包装袋支持部
１７    袋引込み手段
１９    挟持手段
２９Ａ，２９Ｂ：３５Ａ，３５Ｂ    エンドレス部材
３１Ａ，３１Ｂ：３３Ａ，３３Ｂ    挟持部材
３７    切断手段
３９    カッター
４１    内包材
【図１】
2007210643.tif 000003
【図２】
2007210643.tif 000004
【図３】
2007210643.tif 000005